(57)【要約】【課題】切れ味がよく、首振り角度の調整を簡単に行うことができるヘッジトリマーを提案する。【解決手段】刃先が互いに逆向きになる前刃と後刃とを備えた略台形状の平面形状になる複数の刃部を基体の片側又は両側にそれぞれ間隔をおいて直列に配置した上下で一対になるバリカン形式の刈り込みブレードと、この刈り込みブレードを保持するとともにその少なくとも一方を前後に往復動させて各ブレードの刃部との相互間に挟み込んで刈り込みを実行する駆動源を備えたトリマー本体と、このトリマー本体に揺動機構を介して首振り自在に連結しトリマー本体をブレードとともに任意の首振り角度でもって支えるグリップとを備えたヘッジトリマーおいて、前記刃部の前刃及び後刃にそれぞれ、刃先に向けて連続的につながる少なくとも２種類の刃面を形成する。【選択図】        図３
2004357580.tif 000002
【特許請求の範囲】
【請求項１】
刃先が互いに逆向きになる前刃と後刃とを備えた略台形状の平面形状になる複数の刃部を基体の片側又は両側にそれぞれ間隔をおいて直列に配置した上下で一対になるバリカン形式の刈り込みブレードと、この刈り込みブレードを保持するとともにその少なくとも一方を前後に往復動させて各ブレードの刃部との相互間に挟み込んで刈り込みを実行する駆動源を備えたトリマー本体と、このトリマー本体に揺動機構を介して首振り自在に連結しトリマー本体をブレードとともに任意の首振り角度でもって支えるグリップとを備えたヘッジトリマーであって、
前記刃部の前刃及び後刃にそれぞれ、刃先に向けて連続的につながる少なくとも２種類の刃面を形成してなることを特徴とするヘッジトリマー。
【請求項２】
揺動機構が、トリマー本体及びグリップを貫通して該トリマー本体を首振り自在に連結するとともその軸心に沿って押圧可能に弾性支持される枢支軸と、この枢支軸の軸体に保持されトリマー本体及びグリップのそれぞれにスプライン結合して首振り角度を規制する円筒部材と、枢支軸の一端に設けられ該枢支軸をその軸心に沿って押圧することによりスプライン結合を解除して首振りを可能とする押圧ボタンと、枢支軸の他端に着脱自在に保持され枢支軸を円筒部材とともに支える抜け止め部材からなる請求項１記載のヘッジトリマー。
【請求項３】
グリップが、トリマー本体と首振り自在に連結するグリップ基部と、このグリップ基部に沿い移動可能に接続されグリップを伸縮させるスライダーからなり、グリップを最大伸張させた場合における長が１３０ｃｍになる請求項１又は２記載のヘッジトリマー。
【発明の詳細な説明】
【０００１】
【発明の属する技術分野】
本発明は、生け垣や芝生面等の刈り込み作業を行うのに用いて好適なヘッジトリマーに関するものである。
【０００２】
【従来の技術】
生け垣や芝生面等を刈り込むのに使用されるヘッジトリマーは、一般に複数の刃部を基体の両側にそれぞれ間隔をおいて直列に配置した上下で一対になる刈り込みブレードと、この刈り込みブレードを保持するとともにその何れか一方を前後に往復動させる駆動源を備えた本体と、この本体をブレードとともに支えるグリップにて構成されており、各ブレードの刃部の相互間に刈り込むべき枝や芝生を挟み込むことで刈り込みが行えるようになっている。
【０００３】
ところで、この種のヘッジトリマーは、以下に述べるような不具合があり、その改善が望まれていた。
【０００４】
すなわち、刈り込みブレードの刃部はその基部が台形状になっていてその基部の両側に設けられた刃は単純に斜めに研削されている（特許文献１参照）が、刈り込みブレードの切れ味が良いとはいえず、やや太い枝等を切るためには駆動源として出力の大きなＡＣモータを採用せざるをえないことから、ヘッジトリマーそのものの重量が重くなり快適な剪定作業に影響を与える不利があった。
【０００５】
【特許文献１】
実開平６−８６４１５号公報
【０００６】
また、ヘッジトリマーの本体は、角度調整手段を介してグリップに回転自在に支持されるとともに、任意の角度で固定できるように構成されている（特許文献２、特許文献３参照）が、角度調整に際しては締め付けねじや操作ノブを緩めたり締め込んだりする煩雑さがあるうえ、締め付けが不十分な場合には作業中の振動によってノブが緩んで設定角度を保つことができなくなるおそれがあり、逆に力任せに締め込んでしまうと角度調整に際してねじや操作ノブを緩めることができなくなり、とくに、可橈性を有する薄板からなる可動板を曲げることによって角度調整を行うものにおいては、ねじを緩めたり締め込んだりする操作に加えて可動板をある程度の力でもって曲げなければならない操作も伴う。
【０００７】
【特許文献２】
実公平５−２２０５１号公報
【０００８】
【特許文献３】
特開２００２−５８３４１号公報
【０００９】
さらに、ヘッジトリマーの本体を刈り込みブレードとともに保持するグリップは、垣根の高さや作業者の身長に応じて適切な長さになるように伸縮できるようになっているが、従来のヘッジトリマーは伸縮代が必要以上に大きいものが見られ、この場合にはヘッジトリマーの重量増加を招くことから作業性に悪影響を与えることが懸念される。
【００１０】
【発明が解決しようとする課題】
本発明の課題は、切れ味がよくトリマー本体の角度調整を簡単に行うことが可能であり、しかも長時間にわたって刈り込み作業を行うことができる軽量化された新規なヘッジトリマーを提案するところにある。
【００１１】
【課題を解決するための手段】
本発明は、刃先が互いに逆向きになる前刃と後刃とを備えた略台形状の平面形状になる複数の刃部を基体の片側又は両側にそれぞれ間隔をおいて直列に配置した上下で一対になるバリカン形式の刈り込みブレードと、この刈り込みブレードを保持するとともにその少なくとも一方を前後に往復動させて各ブレードの刃部との相互間に挟み込んで刈り込みを実行する駆動源を備えたトリマー本体と、このトリマー本体に揺動機構を介して首振り自在に連結しトリマー本体をブレードとともに任意の首振り角度でもって支えるグリップとを備えたヘッジトリマーであって、
前記刃部の前刃及び後刃にそれぞれ、刃先に向けて連続的につながる少なくとも２種類の刃面を形成してなることを特徴とするヘッジトリマーである。
【００１２】
上記の構成になるヘッジトリマーにおいて揺動機構は、トリマー本体及びグリップを貫通してそれらを首振り自在に連結するとともにその軸心に沿って押圧可能に弾性支持される枢支軸と、この枢支軸の軸体に保持されトリマー本体及びグリップのそれぞれにスプライン結合して首振り角度を規制する円筒部材と、枢支軸の一端に設けられ該枢支軸をその軸心に沿って押圧することによりスプライン結合を解除して首振りを可能とする押圧ボタンと、枢支軸の他端に着脱自在に保持され該枢支軸を円筒部材とともに支える抜け止め部材からなるものが有利に適合する。
【００１３】
また、グリップは、トリマー本体と首振り自在に連結するグリップ基部と、このグリップ基部に沿い移動可能に接続されグリップを伸縮させるスライダーからなり、グリップを最大伸張させた場合における長さが１３０ｃｍになるものが好ましい。
【００１４】
【発明の実施の形態】
以下、図面を用いて本発明をより具体的に説明する。
【００１５】
図１は本発明に従うヘッジトリマーの実施の形態示した外観斜視図であり、図における番号１、２は互いに上下に重ね合わせてバリカン形式とした一対の刈り込みブレードであり、この刈り込みブレード１、２は図２にその要部の分解斜視図を示す如く基体３に挟持されその両側に略台形状の平面形状になる複数の刃部４ａ、４ｂ、５ａ、５ｂがそれぞれ間隔をおいて直列に設けられている。
【００１６】
また、図２における６ａ、６ｂ、７ａ、７ｂは刃部４ａ、４ｂ、５ａ、５ｂにおいてそれぞれ一体に成形された前刃、８ａ、８ｂ、９ａ、９ｂは同じく刃部４ａ、４ｂ、５ａ、５ｂにおいてそれぞれ一体に形成された後刃である。この前刃６ａ、６ｂ、７ａ、７ｂ及び後刃８ａ、８ｂ、９ａ、９ｂにはその要部断面を拡大して図３に示すように刃先に向けて連続的につながる２種類の刃面ｔ１、ｔ２、（角度が異なる）が形成されている。
【００１７】
図１における番号１０は刈り込みブレード１、２につながるトリマー本体であって、このトリマー本体１０は図４に示すようにその内部に駆動源（ＤＣモータ）１０ａを有しており、刈り込みブレード１、２の何れか一方に減速器Ｒ／Ｇを介してつながり駆動源１０ａの出力を伝達することで刈り込みブレード１、２の少なくとも一方を前後に往復動させ各ブレード１、２の刃部４、５の相互間で垣根の枝を挟み込んで刈り込みを実行する。
【００１８】
また、１１は作業者の両手で把持してトリマー本体１０を刈り込みブレード１、２とともに保持するグリップであり、このグリップ１１はトリマー本体１０につながるグリップ基部１１ａと、２箇所の把持部ｅを有しこのグリップ基部１１ａの外側でその長手方向に沿って進退移動させて長さＬを適宜に伸縮させるスライダー１１ｂからなる。
【００１９】
１２はトリマー本体１０を図５に示すようにグリップ１１に対して首振り自在に連結する揺動機構である。
【００２０】
この揺動機構１２はその断面を図６に示す如く、トリマー本体１０及びグリップ１１を貫通して該トリマー本体１０を揺動可能に連結する枢支軸１２ａと、グリップ基部１１ａの内側に一端を座着して枢支軸１２ａをその軸心に沿って押圧可能に弾性支持するスプリング１２ｂと、スプライン歯ｓを有し枢支軸１２ａの軸部にスプリング１２ｂを挟むように保持されトリマー本体１０及びグリップ１１のそれぞれに設けられた溝部ｓ１、ｓ２でスプライン結合して首振り角度を一定に保持する円筒部材１２ｃと、枢支軸１２ａの一端に一体的に設けられ該枢支軸１２ａをその軸心Ｐに沿って押圧することによりスプライン結合を解除してトリマー本体１０の首振りを可能とする押圧ボタン１２ｄと、枢支軸１２ａの他端に着脱自在に取り付けられトリマー本体１０及びグリップ１１の貫通姿勢を維持する抜け止め部材１２ｅからなっている。
【００２１】
上記の抜け止め部材１２ｅはその外周にスプライン歯ｓ３を設けることができるもので、トリマー本体１０及びグリップ１１に予め設けた溝部ｓ４、ｓ５においてスプライン結合させることで円筒部材１２ｃと同様に首振り角度を一定に保持しスプライン結合の解除によりトリマー本体１０の首振りを可能とする（スプライン結合とその結合の解除は円筒部材１２ｃと共に動作する）ものであり、これにより円筒部材１２ｃとの相互間で枢支軸１２ａをバランスよく支持することができる。枢支軸１２ａ、スプリング１２ｂ、円筒部材１２ｃ、押圧ボタン１２ｄ、抜け止め部材１２ｅの分解斜視図を図７に示す。
【００２２】
上記の構成になるヘッジトリマーにおいて刃部４ａ、４ｂ、５ａ、５ｂの前刃６ａ、６ｂ、７ａ、７ｂ及び後刃８ａ、８ｂ、９ａ、９ｂにそれぞれ２種類の刃ｔ１、ｔ２を設けることで刈り込みブレード１、２の切れ味が改善され、大出力の駆動源（ＡＣモータ）に代え、出力の小さい小型で軽量な駆動源（ＤＣモータ）を適用することができ（トリマー本体１０の小型、軽量化が可能）、グリップ１１を最長に伸ばした場合でも作業者の腕にかかる負担が軽減されるため快適な刈り込み作業を行うことができる。
【００２３】
また、トリマー本体１０とグリップ１１とを連結する揺動機構１２において、押圧ボタン１２ｃにより枢支軸１２ａをその軸心Ｐに沿って押すと、該押圧ボタン１２ｃを押している間中、スプライン結合が解除された状態になり首振り角度を任意に変更することができ、押圧を解除すべ該押圧ボタン１２ｃから手を離すと枢支軸１２は弾性力によって元の位置に復帰してトリマー本体１０とグリップ１１はスプライン結合されて調整にかかる首振り角度が固定される。
【００２４】
グリップ１１については、その長さを伸縮できるようにして、グリップ１１を最も伸張させた場合における長は１３０ｃｍ程度とするが、その理由は、一般家庭における標準的な生垣のサイズは高さが２ｍ、奥行きが４５ｃｍ程度であり、これを身長が１６０ｃｍ程度の作業者（主に女性）が刈り込み作業を行う場合、生垣の上面が水平に刈り込まれていることを目視でもって確認できるようにするためにはトリマー本体１０の首振り角度を４５°位の角度とするのが理想的であり、グリップ１１を最も伸張させたときの長さを１３０ｃｍ程度とすることでその角度を維持しながら快適に刈り込み作業を行うことができるからである。
【００２５】
本発明の実施の形態で示したところの円筒部材１２ｃ及び抜け止め部材１２はその外周に設けたスプライン歯ｓ、ｓ３の刃数は適宜に設定できる（１枚でもよい）もので、形状も歯車状のもの以外に正四角形や正六角形等の多角形状のものが適用でき、この点については限定されない。
【００２６】
また、刈り込みブレード１、２については刃部を両側に備えたものを例として示したが、該刃部は片側にのみ配列したものを適用できるのは言うまでもない。
【００２７】
【発明の効果】
本発明によれば以下の効果が期待できる。
【００２８】
刈り込みブレードの切れ味が改善されるため、該ブレードを作動させる駆動源を出力の小さい小型のものに代替でき、ヘッジトリマーの軽量化によって快適な刈り込み作業が実現できる。
【００２９】
押圧ボタンを押すだけの簡単な操作でトリマー本体の首振り角度が変更でき、変更後はスプライン結合によって該角度を安定的に保持されるので、刈り込み作業中の振動によって角度が簡単に変動してしまうことがない。
【００３０】
グリップを最も伸ばしたときの長さを１３０ｃｍ程度とすることで、理想的な首振り角度を維持しながら快適な刈り込み作業を行うことができる。
【図面の簡単な説明】
【図１】本発明に従うヘッジトリマーの外観斜視図である。
【図２】刈り込みブレードの要部の分解斜視図である。
【図３】刃部の要部を断面で示した図である。
【図４】トリマー本体の内部を示した図である。
【図５】トリマー本体を揺動させた状態を示した図である。
【図６】揺動機構の断面を示した図である。
【図７】揺動機構を構成する部材の分解状態で示した外観斜視図である。
【符号の説明】
１  刈り込みブレード
２  刈り込みブレード
３  基体
４ａ  刃部
４ｂ  刃部
５ａ  刃部
５ｂ  刃部
６ａ  前刃
６ｂ  前刃
７ａ  前刃
７ｂ  前刃
８ａ  後刃
８ｂ  後刃
９ａ  後刃
９ｂ  後刃
１０トリマー本体
１０ａ  駆動源
１１  グリップ
１１ａ  グリップ基部
１１ｂ  スライダー
１２  揺動機構
１２ａ  枢支軸
１２ｂ  スプリング
１２ｃ  円筒部材
１２ｄ  押圧ボタン
１２ｅ  抜け止め部材
ｔ  刃面
ｔ１  刃面
Ｐ  軸心
Ｒ／Ｇ  減速器
ｓ  スプライン歯
ｓ１  溝部 
ｓ２  溝部
ｓ３  溝部
【図１】
2004357580.tif 000003
【図２】
2004357580.tif 000004
【図３】
2004357580.tif 000005
【図４】
2004357580.tif 000006
【図５】
2004357580.tif 000007
【図６】
2004357580.tif 000008
【図７】
2004357580.tif 000009